(57)【要約】      （修正有）【課題】米穀類を充填した包装袋が、貯蔵、流通、店頭陳列などにおいて、集積、段積みされた時、包装製品の荷重により包装内の空気圧が上昇しても、包装袋内の余分空気を脱気することで破袋を防ぎ、かつ脱気する開口部から埃、害虫を進入させない脱気弁を有した包装袋を提供するものである。【解決手段】包装袋１のシール部８に複数の脱気弁５を設けている。この脱気弁は、シール性を有していない脱気弁フィルム６からなり、表側フィルムおよび裏側のフィルムにそれぞれ端部を固定して設けてられている。包装袋内の空気による内圧が掛かれば、脱気が可能となる。また脱気弁フィルムの他端部をシール部より外側に位置することによって、脱気後は、重なり合って包装袋の外からの埃、害虫など進入を防ぐことができる。【選択図】図２
2012025395.tif 000002
【特許請求の範囲】
【請求項１】
プラスチックフィルムをシールして袋状にした米穀類用包装袋であって、該包装袋のシール部に、かつ包装袋内に複数の脱気弁を有したことを特徴とする米穀類用包装袋。
【請求項２】
前記脱気弁は、包装袋の表側フィルムに端部を固定し、他端部を外側に向けた表側の脱気弁フィルムと、包装袋の裏側フィルムに端部を固定し、他端部を外側に向けた裏側の脱気弁フィルムとで形成されたことを特徴とする請求項１記載の米穀類用包装袋。
【発明の詳細な説明】
【技術分野】
【０００１】
本発明は、米穀類用包装袋に関するもので、米穀類を充填包装し、貯蔵、流通する際に、集積、段積みされても破袋を防止する脱気機能を有した米穀類用包装袋に関するものである。
【背景技術】
【０００２】
米穀類を充填した包装袋は、流通過程で、積み込み、積み下ろし、また貯蔵保管、店頭での陳列などで、段積みされた状態で取り扱われる。内容物である米穀類が重量物であることから、段積み下部の包装袋には大きな荷重が掛かり、包装袋内の余分な空気により内圧が上昇し、包装袋の破袋が生じる問題点がある。
【０００３】
一般家庭用の米穀類、特にお米は５ｋｇ〜１０ｋｇ用が主に市販されている。お米の重量内容物を収納する包装袋の構成としては、主にプラスチックフィルムの単層フィルムないし多層積層フィルムを使用し、これを袋状にシールして製造されるプラスチック製の包装袋が使用されている。
【０００４】
例えば直鎖状低密度ポリエチレンフィルムからなる単層フィルム、あるいは二軸延伸ナイロンフィルム／アルミ蒸着ポリエチレンテレフタレートフィルム／直鎖状低密度ポリエチレンフィルムからなる多層積層フィルム、若しくは二軸延伸ナイロンフィルム／直鎖状低密度ポリエチレンフィルムからなる多層積層フィルムなどが使用され、重量物を収納するために、フィルムは伸び易い直鎖状低密度ポリエチレンフィルムを使用し、破袋を防ぐ構成で使用されている。
【０００５】
しかし、上記のような材料を用いても、内容物を収納した包装袋を段積みすると、段積み下部の包装袋は、包装袋内の空気により内圧が上昇し、包装袋の破袋を生じる問題がある。
【０００６】
このような問題を解決するために、包装袋のシール部に未融着部を不規則に設け、脱気する提案がある。これは脱気性能のバラツキの問題がある。
【０００７】
また脱気機能を持たせるために、孔径１ｍｍ〜２ｍｍ程度の孔、または２ｍｍ程度の切り込みなどの開口部を設ける提案がある。空気を脱気するには、十分な大きさの孔であり、また１袋当たりに開口部の数も僅かでよく、それによる強度の低下も問題ない。しかし孔径１ｍｍ〜２ｍｍ程度の孔では、コクゾウなどの害虫が開口部から進入し、内容物である米穀類を食べてしまう問題や埃が進入するなど衛生面の問題もある。
【０００８】
これらの問題を解決するために、予めレーザーを用い１ｍｍ以下の小さな孔を開けたフィルムを包装袋の一部分に使用して脱気する提案がある（特許文献１）。コクゾウなどの害虫の進入を防ぐ考えである。しかし、レーザーを用いて小さな孔を開けるには、生産性の面で効率が悪く、また脱気性能の管理などの問題がある。
【０００９】
また通気性と熱融着性を有する不織布を使用して脱気性能を持たせた提案がある（特許文献２）。脱気性能はよいが、このような不織布は価格が高く、また包装袋の外部からの害虫や埃などの進入などの品質管理、などの問題がある。
【００１０】
また不織布を利用した別の提案もある（特許文献３）。通気性、熱融着性を有する不織布を包装袋のシール部の一辺の表裏フィルムに挟んで脱気性能を持たせている。不織布の
使用量を少なくしたものである。しかし包装袋の内部に入り込んで配置されているために、お米を詰めた時に、破損する問題がある。また同時に包装袋外に突出するようにも配置されているために、貯蔵、輸送する際に破損する問題がある。
【先行技術文献】
【特許文献】
【００１１】
【特許文献１】特開平１１−７９２００号公報
【特許文献２】実用新案登録２５２５２２７号公報
【特許文献３】特開平６−７２４４９号公報
【発明の概要】
【発明が解決しようとする課題】
【００１２】
本発明は、米穀類を充填した包装袋が、貯蔵、流通、店頭陳列などにおいて、集積、段積みされた時、包装製品の荷重により包装内の空気圧が上昇しても破袋を防ぎ、かつ脱気する開口部から埃、害虫を進入させない包装袋を提供するものである。
【課題を解決するための手段】
【００１３】
本発明の請求項１に係る発明は、プラスチックフィルムをシールして袋状にした米穀類用包装袋であって、該包装袋のシール部に、かつ包装袋内に複数の脱気弁を有したことを特徴とする米穀類用包装袋である。
【００１４】
本発明の請求項２に係る発明は、前記脱気弁は、包装袋の表側フィルムに端部を固定し、他端部を外側に向けた表側の脱気弁フィルムと、包装袋の裏側フィルムに端部を固定し、他端部を外側に向けた裏側の脱気弁フィルムとで形成されたことを特徴とする請求項１記載の米穀類用包装袋である。
【発明の効果】
【００１５】
本発明の米穀類用包装袋は、包装袋のシール部に複数の脱気弁を設けている。この脱気弁は、シール性を有いていない脱気弁フィルムからなり、この脱気弁フィルムは、表側フィルムおよび裏側のフィルムにそれぞれ端部を固定して設けてられている。包装袋内の空気による内圧が掛かれば、脱気が可能となる。また表側フィルムおよび裏側のフィルムに端部を固定された脱気弁フィルムの他端部をシール部より外側に位置することによって、脱気中は開き、脱気後は、重なり合って包装袋の外からの埃や、コクゾウ虫などの害虫の進入を防ぐことができる。このようにシール部に脱気弁を複数設けることにより、貯蔵、流通などにおいて、包装製品を積み重ねても破袋しない、脱気性能に優れた包装袋の提供を可能とした。
【図面の簡単な説明】
【００１６】
【図１】本発明の包装袋の一例を示す説明図である。
【図２】本発明の包装袋の一辺のシール部に複数の脱気弁を設けた一例を示す説明図である。
【図３】本発明の複数の脱気弁の一例を示す説明図である。
【図４】本発明の包装袋の通常時での状態を示す図２のＡ−Ａ´部の断面図である。
【図５】本発明の包装袋の脱気中の状態を示す図２のＡ−Ａ´部の断面図である。
【図６】本発明の包装袋の脱気後の状態を示す図２のＡ−Ａ´部の断面図である。
【図７】本発明の包装袋の図２のＢ−Ｂ´部の断面図である。
【発明を実施するための形態】
【００１７】
図１は、本発明の包装袋の一例を示す説明図である。米穀類の充填包装された包装袋１の断面図である。特に包装袋の一辺のシール部に設けた脱気弁５を示している。米穀類２
を充填した包装袋１は、表側フィルム３と裏側フィルム４からなり、一辺のシール部に複数の脱気弁５を設けている。包装袋内の空気の圧力が上昇すると、この脱気弁５から空気が脱気する構造になっている。
【００１８】
図２は、本発明の包装袋の一辺のシール部に複数の脱気弁５を設けた部分を示す平面図である。本発明の脱気弁は、脱気弁フィルム６の端部を固定する熱融着性を有する樹脂からなる連結層７を設けている。またこの連結層７は、表側フィルム３および裏側フィルム４とも熱融着し固定される。
【００１９】
図３は、本発明の脱気弁５の一例を示す説明図である。脱気弁５を示す平面図である。脱気弁５は、熱融着性を有する樹脂を用いた連結層７に複数の脱気弁フィルム６の端部を固定し、他方は固定されていない状態を示している。
【００２０】
図４は、本発明の包装袋の通常時での状態を示す図２のＡ−Ａ´部の断面図である。脱気弁５は、表側フィルム３および裏側フィルム４の内側にそれぞれ連結層７が設けられ、かつ連結層に脱気弁フィルム６の端部が固定されている。シールにより、連結層に脱気弁フィルム６が存在しない部分は、シールされるが、脱気弁フィルム６が存在する部分はシールされず未シール部になり脱気弁の開口部になる。またこの脱気弁フィルム６の他方の端部は、表側および裏側フィルムとも固定されないため脱気弁となる。
【００２１】
図５は、本発明の包装袋の脱気中の状態を示すＡ−Ａ´部の断面図である。集積、段積みされた時、製品包装袋の荷重により包装袋内の空気圧が上昇し、脱気弁５が開いた状態を示している。包装袋内の余分空気を脱気することで破袋を防ぐことができる。脱気弁フィルム６は、包装袋内からの空気圧９で開き、空気を包装袋外部に放出することができる。
【００２２】
図６は、本発明の包装袋の脱気後の状態を示すＡ−Ａ´部の断面図である。包装袋内の余分な空気を脱気した後の脱気弁５は、脱気弁フィルム６が閉じて、脱気弁フィルム６同士が重なり合うことにより包装袋の外部からのコクゾウ虫などの害虫や埃などの進入１０を防ぐことができる。
【００２３】
図７は、本発明の包装袋のＢ−Ｂ´部の断面図である。表側フィルムおよび裏側フィルムのそれぞれに連結層７を設け、シールした状態を示している。脱気弁を設けていない部分である。包装袋の密封性を保持している。
【００２４】
本発明の米穀類用包装袋は、包装袋のシール部に複数の脱気弁を設けたことにより、包装袋内に空気内圧が掛かれば開口し脱気できる。また脱気弁フィルムをシール部より外側に向けて設けることによって、脱気した後は、脱気弁が重なり合って包装袋の外からの埃や、コクゾウ虫などの害虫の進入を防ぐことができる。
【００２５】
本発明の米穀類用包装袋は、米穀類の充填などを妨げない、かつ貯蔵、流通などにおいて包装製品を積み重ねても脱気性能に優れ、破袋しない包装袋である。
【００２６】
本発明の米穀類用包装袋を形成する表側フィルムおよび裏側フィルムに用いるフィルム材料としては、基材フィルムとシーラントフィルムから構成される。基材フィルムとしては、ポリエステルフィルム、ポリプロピレンフィルム、ポリアミドフィルムなどが用いられ、強度の点から二軸延伸されていることが好ましい。また前記基材フィルムに美粧性を出すために、アルミニウムなどの金属を蒸着、ガスバリアー性を出すために酸化アルミニウム、二酸化珪素などの無機化合物、その他の化合物を蒸着したフィルム、また塩化ビニリデンなどのバリアーコート剤などをコーティングしたものも使用できる。通常１５μｍ
から８０μｍが用いられる。
【００２７】
これら基材フィルムに美粧性を付加させるために、グラビア印刷、オフセット印刷、インクジェット印刷、凸版印刷などの方式を用いて印刷できる。
【００２８】
前記基材フィルムの内面にシーラントフィルムを積層し、相互にシーラントフィルムをシールして熱融着させ、袋状にする。シーラントフィルムとしては、例えば、低密度ポリエチレン、中密度ポリエチレン、高密度ポリエチレン、直鎖状低密度ポリエチレン、ポリプロピレン、エチレン−酢酸ビニル共重合体、酢酸ビニルなど使用できる。これらフィルムは、押出し機により押出したフィルムを、直接前記基材フィルムと接着剤を介して積層することができる。また予め押出し機により作成したフィルムを、接着剤を介してラミネートし、積層することができる。通常１５μｍから２００μｍ位、好ましくは２０μｍから１００μｍから選択して使用することができる。
【００２９】
本発明に用いる脱気弁５は、シーラントフィルムと熱融着を有する樹脂からなる連結層７と、その連結層と熱接着し固定する脱気弁フィルム６から構成される。
【００３０】
前記連結層７に用いられる材料としては、シーラントフィルムと熱融着可能な樹脂を用いることができる。例えば、低密度ポリエチレン、中密度ポリエチレン、高密度ポリエチレン、直鎖状低密度ポリエチレン、ポリプロピレン、エチレン−酢酸ビニル共重合体、酢酸ビニルが使用できる。連結層の厚みとしては、５μｍから１５μｍ位であればよい。
【００３１】
また脱気弁フィルム６としては、脱気弁フィルム同士がシールできない樹脂からなるフィルムを用いることができる。例えばポリエチレンテレフタレート、ポリエチレンナフタレート、ポリカ−ボネート、ポリイミドなどが可能である。これらフィルムの連結層面側には、連結層の樹脂とシール時に熱接着する樹脂、例えばポリエチレン樹脂の塗布液を用いて塗布して接着層としてもよく、また押出し法で押出し膜を積層してもよい。脱気弁フィルムの厚みとしては、４μｍから５０μｍ位であればよい。また連結層との接着層は、１μｍ〜３μｍ位あればよい。
【００３２】
また包装袋のシール部に複数の脱気弁を設ける。特に要求される脱気性能から、脱気弁フィルムの幅、および脱気弁の数を決めればよい。米穀類内容物の重量から包装袋のサイズも変わるので、適宜設定すればよい。
【００３３】
予め表側フィルムおよび裏側フィルムのシーラント面に連結層を形成するために、ホットメルト法にて線状して塗布する。次に予め連結層と接着する接着層を積層した脱気弁フィルムを一定の形状に抜き、そして脱気弁フィルムの接着層面を前記ホットメルト剤面に合わせ所定の位置に置き、熱を掛け接着させる。これらは、包装袋を形成する表側フィルム、裏側フィルム別々に行う。そして表側フィルムの連結層、脱気弁フィルムと裏側フィルムの連結層、脱気弁フィルムとを合わせ、熱シールすることにより、シール部に脱気弁を設けることができる。脱気弁は、包装袋からの脱気性能要求から複数個設けることができる。個数、および脱気弁の間隔については限定されない。
【００３４】
また米穀類用の包装袋の形態としては、三方シール形態、ピロー包装形態、ガゼット形包装形態、自立性包装形態、その他の種々の包装形態に使用できる。
【００３５】
以下に、本発明の実施例について説明する。
【実施例１】
【００３６】
基材フィルムとして二軸延伸ナイロンフィルム２０μｍとシーラントフィルムとして
直鎖状低密度ポリエチレン（Ｌ−ＬＤＰＥ）６０μｍを、接着剤を介して貼り合わせた。接着剤は、ウレタン系接着剤を用いた。この積層フィルムを用いて５Ｋｇの精白米用の包装袋を作成した。
【００３７】
この包装袋の充填する開口部と対する一辺のシール部に脱気弁を設けた。積層フィルムのシーラント面にポリエチレン樹脂のホットメルト剤を５ｍｍ幅で一辺上（直線状）に塗布した。
【００３８】
次にポリエチレン樹脂を１μｍ厚みで塗布したポリエステルフィルム７μｍを０．９ｍｍ幅で長さ９ｍｍの寸法で短冊にした脱気弁フィルムの端部を、ポリエチレン樹脂面よりホットメルト剤面を重ね、脱気弁位置に合わせ、加熱して熱融着させた。尚一辺のシール幅を７ｍｍ幅とした。一辺のシール長さ２８０ｍｍに対し、脱気弁を４０個設けた。試験片１を作成した。
【００３９】
包装袋を作成するために、試験片１を脱気弁の位置に合うように２枚重ね合わせ、シールした。同時に他辺もシールし、三方シールした。包装袋のサイズを幅方向３００ｍｍ、長さ方向４９０ｍｍとした。
【００４０】
次に作成した包装袋に精白米５ｋｇを通常に行う方法で充填し、開口部をシールした。この製品包装袋１０袋を作成した。また脱気弁を使用しない包装袋を用いた製品包装袋も同時に作成し比較評価した。脱気弁を用いた製品包装袋は１０袋段積みしても、破袋は無かった。しかし脱気弁を使用しない製品包装袋は９袋段積みで破袋が見られた。
【符号の説明】
【００４１】
１：包装袋
２：米穀類
３：表側フィルム
４：裏側フィルム
５：脱気弁
６：脱気弁フィルム
７：連結層
８：シール部
９：包装袋内の空気圧
１０：外からの進入
【図１】
2012025395.tif 000003
【図２】
2012025395.tif 000004
【図３】
2012025395.tif 000005
【図４】
2012025395.tif 000006
【図５】
2012025395.tif 000007
【図６】
2012025395.tif 000008
【図７】
2012025395.tif 000009